(57)【特許請求の範囲】
【請求項１】
カーボン繊維強化樹脂からなる素管の外周面にメタリック塗料層が形成され、かつ、前記メタリック塗料層の周面にカラークリアー塗料塗装領域がシャフトの軸方向に沿って複数形成されているとともに、前記複数のカラークリアー塗料塗装領域は互いに異なる色を有するゴルフクラブ用シャフトであって、前記複数のカラークリアー塗料塗装領域は、転写紙または転写フィルム上のカラークリアー塗料層をシャフトのメタリック塗料層に当てて加圧しながら加熱することにより、カラークリアー塗料層をメタリック塗料層上に転着させる熱転写法を用いて形成されていることを特徴とするゴルフクラブ用シャフト。
【請求項２】
前記複数のカラークリアー塗料塗装領域は、シャフトの軸方向に沿って連続して形成されていることを特徴とする請求項１に記載のゴルフクラブ用シャフト。
【請求項３】
前記複数のカラークリアー塗料塗装領域の境界部分では、隣接するカラークリアー塗料塗装領域の一部同士が重なり合っていることを特徴とする請求項１または２に記載のゴルフクラブ用シャフト。
【請求項４】
前記複数のカラークリアー塗料塗装領域は、色の３原色（赤、青、黄）の隣り合う２色およびその中間色を有する３つのクリアー塗料塗装領域であり、シャフトの基端側に濃い色のクリアー塗料塗装領域、その先方に中間色のクリアー塗料塗装領域、その先方に薄い色のクリアー塗料塗装領域を形成し、シャフト先端部はメタリック塗料層を露出させたことを特徴とする請求項１〜３のいずれか１項に記載のゴルフクラブ用シャフト。
【請求項５】
前記複数のカラークリアー塗料塗装領域は、１回の前記熱転写法により形成されていることを特徴とする請求項１〜４のいずれか１項に記載のゴルフクラブ用シャフト。
【請求項６】
シャフトの最外層に透明クリアー塗料層が形成されていることを特徴とする請求項１〜５のいずれか１項に記載のゴルフクラブ用シャフト。
【発明の詳細な説明】
【技術分野】
【０００１】
本発明は、カーボン繊維強化樹脂（ＣＦＲＰ）を素材としたゴルフクラブ用シャフトに関する。
【背景技術】
【０００２】
現在、ゴルフクラブ用シャフトとしては、カーボン繊維を熱硬化性樹脂で固めたカーボン繊維強化樹脂を素材としたものが多用されている。このカーボン繊維強化樹脂を素材としたゴルフクラブ用シャフト（カーボンシャフト）を作製する場合、カーボン繊維強化樹脂からなる素管を成形した後、素管に表面仕上げ、塗装を施す。
【０００３】
上記塗装では、単一の塗料を用いることが多いが、色の異なる２種類の塗料を用いることもある（特許文献１参照）。特許文献１は、管状体本体の上の第１の色の塗料層中に第２の色の粒子が混入してぼかし模様を形成している領域を有する管状体の発明を開示している。
【０００４】
【特許文献１】特開平８−１７２９８２号公報
【発明の開示】
【発明が解決しようとする課題】
【０００５】
しかし、特許文献１の管状体からなるゴルフクラブ用シャフトは、２色によるぼかし模様を形成したものであり、十分な意匠性を有さないものであった。
【０００６】
本発明は、前述した事情に鑑みてなされたもので、カーボン繊維強化樹脂を素材としたゴルフクラブ用シャフトであって、塗装により十分な意匠性を付与することができるゴルフクラブ用シャフトを提供することを目的とする。
【課題を解決するための手段】
【０００７】
本発明は、前記目的を達成するため、カーボン繊維強化樹脂からなる素管の外周面にメタリック塗料層が形成され、かつ、前記メタリック塗料層の周面にカラークリアー塗料塗装領域がシャフトの軸方向に沿って複数形成されているとともに、前記複数のカラークリアー塗料塗装領域は互いに異なる色を有するゴルフクラブ用シャフトであって、前記複数のカラークリアー塗料塗装領域は、転写紙または転写フィルム上のカラークリアー塗料層をシャフトのメタリック塗料層に当てて加圧しながら加熱することにより、カラークリアー塗料層をメタリック塗料層上に転着させる熱転写法を用いて形成されていることを特徴とするゴルフクラブ用シャフトを提供する。
【０００８】
本発明のゴルフクラブ用シャフトは、カーボン繊維強化樹脂からなる黒色の素管の外周面にメタリック塗料層が形成され、さらにこのメタリック塗料層の周面に互いに色の異なる複数のカラークリアー塗料塗装領域が形成されている。そのため、メタリック塗料層で反射した光が、それぞれのカラークリアー塗料塗装領域を透過して独特の色感を発現させ、その結果、十分な意匠性を得ることができる。
【０００９】
以下、本発明につきさらに詳しく説明する。本発明において用いるカーボン繊維強化樹脂製の素管は、例えば、先細り円柱形のマンドレルの周囲にプリプレグの積層体を形成した後、この積層体を加熱硬化させることにより成形することができる。プリプレグとしては、例えば、平行に引き揃えたロービングやクロス、マットといった強化繊維に熱硬化性樹脂を含浸させて作製したシート状のものを用いることができる。この場合、強化繊維はカーボン繊維単独であってもよく、カーボン繊維とカーボン繊維以外の強化繊維との混合物であってもよい。カーボン繊維以外の強化繊維としては、例えば、ガラス繊維、金属繊維、アラミド繊維、炭化けい素繊維、アルミナ繊維、ボロン繊維等を挙げることができる。また、熱硬化性樹脂としては、エポキシ樹脂、フェノール樹脂、不飽和ポリエステル樹脂等、副資材としては硬化剤、硬化促進剤、充填材、離型剤、顔料等を用いることができる。
【００１０】
本発明では、素管の外周面にメタリック塗料層を形成する。ただし、グリップを装着する部分にはメタリック塗料層を形成する必要はない。メタリック塗料としては、例えば、基材塗料にアルミニウム、亜鉛、銀、白金、ニッケル、錫、ステンレス鋼、マイカ等からなる光輝材を混合したものを用いることができる。メタリック塗料の色に限定はないが、シルバーが好ましく、アルミニウム箔、二酸化チタンの微粒子、チタン箔などを顔料とすることが良く、特に輝度の高い蒸着アルミニウムを顔料とすることが好ましい。メタリック塗料層は、スプレー塗装法、しごき塗装法などによって形成することができるが、これらに限定されるものではない。
【００１１】
本発明では、メタリック塗料層の周面にカラークリアー塗料塗装領域をシャフトの軸方向に沿って複数形成する。カラークリアー塗料としては、透明クリアー塗料に顔料等の着色剤を混合したものを用いることができる。カラークリアー塗料の色に限定はないが、彩度の高い色、具体的には青、赤、黄、オレンジ、紫が好ましい。また、染料は、一般的に顔料に比べ小さい粒子であり、着色剤は染料でもよい。
【００１２】
本発明では、カラークリアー塗料塗装領域は、シャフトの軸方向に沿って連続して形成されていることが好ましい。これにより、さらに優れた意匠性を得ることができる。
【００１３】
本発明では、複数のカラークリアー塗料塗装領域の境界部分では、隣接するカラークリアー塗料塗装領域の一部同士が重なり合っていることが好ましい。これにより、カラークリアー塗料塗装領域の境界部分で色が急激に変化することが防止され、さらに優れた意匠性を得ることができる。
【００１４】
本発明では、複数のカラークリアー塗料塗装領域は、色の３原色（赤、青、黄）の隣り合う２色およびその中間色を有する３つのクリアー塗料塗装領域であり、シャフトの基端側に濃い色のクリアー塗料塗装領域、その先方に中間色のクリアー塗料塗装領域、その先方に薄い色のクリアー塗料塗装領域を形成し、シャフト先端部はメタリック塗料層を露出させることが特に適当である。このようにすると、色のスムーズなグラデーション（色の推移）が得られ、特に優れた意匠性を得ることができる。具体的には、赤と黄とその中間色であるオレンジを用いたり、黄と青とその中間色である緑を用いたりすると良い。特に、色相の近い赤、オレンジ、黄のグラデーションがよい。
【００１５】
カラークリアー塗料塗装領域は、熱転写法を用いて１回の転写により形成することが好ましい。熱転写法を用いる場合、転写紙や転写フィルムにスクリーン印刷法などによってカラークリアー塗料層を形成し、この転写紙や転写フィルム上のカラークリアー塗料層をシャフトのメタリック塗料層に当てて加圧しながら加熱することにより、カラークリアー塗料層をメタリック塗料層上に転着させればよい。複数のカラークリアー塗料塗装領域を熱転写法を用いて１回の転写により形成することにより、カラークリアー塗料の塗装工程を簡単にすることができるとともに、カラークリアー塗料を硬化させるための加熱工程（焼き付け）の回数を減らすことができ、シャフトの熱による劣化を防止することができる。
【００１６】
本発明のゴルフクラブ用シャフトは、シャフトの最外層に透明クリアー塗料層を形成することが好ましい。これにより、メタリック塗料層やカラークリアー塗料塗装領域を保護することができる。透明クリアー塗料層は、スプレー塗装法、しごき塗装法などによって形成することができるが、これらに限定されるものではない。
【発明の効果】
【００１７】
本発明のゴルフクラブ用シャフトは、塗装により十分な意匠性を付与することができる。
【発明を実施するための最良の形態】
【００１８】
以下、本発明の実施形態を図面を参照して説明するが、本発明は下記例に限定されるものではない。図１は本発明のゴルフクラブ用シャフトの一例を示す模式的正面図である。
【００１９】
本例のゴルフクラブ用シャフト１０は、カーボン繊維強化樹脂からなる素管１２の外周面全面にメタリック塗料層１４が形成されている。また、メタリック塗料層１４の周面に３つのカラークリアー塗料塗装領域１６、１８、２０がシャフトの軸方向に沿って連続して形成されている。カラークリアー塗料塗装領域１６、１８、２０の境界部分では、隣接するカラークリアー塗料塗装領域１６、１８、２０の一部同士が重なり合っている。
【００２０】
カラークリアー塗料塗装領域１６は赤色、カラークリアー塗料塗装領域１８はオレンジ色、カラークリアー塗料塗装領域２０は黄色であり、シャフト先端部ではメタリック塗料層１４が露出している。すなわち、本例のゴルフクラブ用シャフト１０では、カラークリアー塗料塗装領域１６、１８、２０は、色の３原色（赤、青、黄）の隣り合う２色（赤色、黄色）およびその中間色（オレンジ色）を有する３つのクリアー塗料塗装領域であり、シャフトの基端側に濃い色（赤色）のクリアー塗料塗装領域１６、その先方に中間色のクリアー塗料塗装領域１８、その先方に薄い色（黄色）のクリアー塗料塗装領域２０を形成し、シャフト先端部はメタリック塗料層１４を露出させている。
【００２１】
本例のゴルフクラブ用シャフト１０では、３つのカラークリアー塗料塗装領域１６、１８、２０は、熱転写法を用いて１回の転写により形成されている。また、本例のゴルフクラブ用シャフト１０は、シャフトの最外層に透明クリアー塗料層が形成されている。
【図面の簡単な説明】
【００２２】
【図１】本発明のゴルフクラブ用シャフトの一例を示す模式的正面図である。
【符号の説明】
【００２３】
１０  ゴルフクラブ用シャフト
１２  素管
１４  メタリック塗料層
１６  カラークリアー塗料塗装領域
１８  カラークリアー塗料塗装領域
２０  カラークリアー塗料塗装領域
【図１】
0004805000.tif 000002